(57)【要約】      （修正有）【課題】除雪補助機能を有する除雪容易な雪かきを提供する。【解決手段】柄１と除雪板３からなる雪かきにおいて、柄１の中程に握持環体７を上方突設し、柄１の下方に、柄１に対し回動可能なる脚体２０を設けた。【選択図】図８
0003223749.tif 000002
【実用新案登録請求の範囲】
【請求項１】
柄と除雪板からなる雪かきにおいて、柄の中程に握持環体を上方突設したことを特徴とする除雪容易な雪かき。
【請求項２】
柄の下方に，柄に対し回動可能なる脚体を設けてなる請求項１記載の除雪容易な雪かき。
【請求項３】
脚体を回動可能とするために、柄に回動装置部を付設し、この回動装置部をワイヤーを用いて互いに接続する駆動側と従動側とから構成し、駆動側にはレバー操作にて左右に移動可能なるワイヤーを設け、従動側は、脚体が適宜支持部材にて柄と平行位置もしくは柄に対して下方に角度を有する位置の双方をワイヤー移動にて選択できるよう構成するとともに、従動側に付設されるスプリングを用いて、レバー開放時に柄と平行なる初期位置に脚体が復帰するよう構成してなる請求項２記載の除雪容易な雪かき。
【考案の詳細な説明】
【技術分野】
【０００１】  この考案は、除雪補助機能を有する除雪容易な雪かきに関する。
【背景技術】
【０００２】  従来より、種々の雪かきが多用されているが、本案に示すように、除雪補助機能を有するものは見当たらない。
【考案の概要】
【考案が解決しようとする課題】
【０００３】  降雪地域においては、冬期の除雪は必須の作業である。
人力による除雪としては、スコップ、雪かき、スノーダンプ等が多用されている。
中でも雪かきはより多く用いられているが、一般的なものとしては、適宜長の棒体の先に雪はね部分としての所定巾の略平板状部分が設けられており、使用時はこの棒体部分を両手で持ち、平板状部分で雪をすくって排雪場所にはね上げ飛ばす作業を行う。
このとき、腰をかがめながら足を踏ん張り、腕力にて雪をはね上げて飛ばす作業となる。
以上の動作を反復するのであるが、湿り気を含んだ雪の除雪ではその重量のために、人体的負担の大きい作業となる。また、高齢者ではさらに負担が大きく、腰を痛める恐れもあるが、市販の雪かきはこうした問題点を考慮せずに、単なる一般用の雪かきとして販売されており、より負担の少ない労力にて除雪を行うことのできる雪かきが望まれている。
本案は以上に鑑み、従来品より容易かつ小労力にて除雪することのできる、新規かつ有用なる雪かきを提供することを目的として発案したものである。
【課題を解決するための手段】
【０００４】  課題を解決する手段として本案は以下の構成とした。
すなわち、本案の一つは、柄と除雪板からなる雪かきにおいて、柄の中程に握持環体を上方突設したことを特徴とする除雪容易な雪かきである。本案の他の一つは、柄の下方に，柄に対し回動可能なる脚体を設けてなる請求項１記載の除雪容易な雪かきである。
【考案の効果】
【０００５】  本案は下記の効果を有する。
１．握持環体を設けたので、除雪時に除雪板位置を安定させて用いることができる。
２．柄に対し回動可能な脚体を設けたので、この脚体によりテコの作用にて楽に除雪する  ことができる。
３．脚体は柄と平行位置に復帰できるので、一般の雪かき同様に用いることもできる。
４．伸縮脚体を有しているので、使用者の身長に適合させて用いることができる。
【図面の簡単な説明】
【０００６】
【図１】本考案の平面図（簡易タイプ）
【図２】本考案の正面図（簡易タイプ）
【図３】本考案の正面図（標準タイプ・脚体初期位置）
【図４】本考案の正面図（標準タイプ・脚体回動位置）
【図５】本考案の要部説明図
【図６】本考案の要部説明図
【図７】本考案の要部説明図
【図８】本考案の使用説明図
【考案を実施するための形態】
【０００７】  以下、本考案の実施形態について説明する。
図１〜図２は、本案の簡易タイプを示すものである。
図において、１は金属管体による柄、２は柄後端に覆設される合成樹脂製のキャップ、３は市販品同様の除雪板である。この除雪板は、合成樹脂成形品であって、その外周はやや立ち上がり、中央部には柄挿入部４が形成されて、柄端がここに挿入されてビス止めにて抜け落ちないようになっている。また、図のごとく、適所に補強のためのリブ５が一体に形成され、各リブ間には孔６が複数個設けられる。
７は握持環体で、合成樹脂による楕円形状の部分であって、図に示すように柄の中間位置よりやや除雪板よりの位置に立設される。８は環体固定具で、二つ割りの環状部分の下方に，近接した一対の平板部分を有し、この平板部分の一方には貫通孔が他方には雌ネジが刻設され、雄ネジを有するつまみ９および１０にて柄を締め付け固定される。
この環体固定具は、握持環体と一体に形成される。なお、必要に応じてビスにて柄に強固に固定される。以上が本案の簡易タイプである。使用時は一般の雪かき同様に用いるが、握持環体があるので片方の手でこれを握ることにて除雪板位置が安定し、また雪をはね上げるときに力を入れやすい特徴を有している。
【０００８】  図３〜図４は、本案の標準タイプを示すもので、簡易タイプにさらに付加機構を設けたものである。図において、２０は金属管体による脚体、２１は該脚体より小径の管体による伸縮脚体、２２は有孔略円錐台形状の接地体である。２３は脚体伸縮機構で、前記脚体に固定される筒状部分であって、その上部には押しボタン２４が設けられる。
この脚体伸縮機構はバネを内蔵し、このバネにて通常は押しボタン下端は管体内方方向に付勢されており、この状態にては伸縮脚体は伸縮機構にロックされているが、押しボタンの押圧にてこのロックは解除され、伸縮脚体を該機構より引き出しもしくは挿入することができる仕組みである。
【０００９】  ３０は回動装置部で、駆動側３１と従動側５０とから構成されている。
３２はレバー保持体で、その上部と下部に中空部を有する略Ｌ字形部分で、上の中空部にて柄にビスにて固定され、下の中空部にはレバー３３が適宜部材を介してレバー軸３４を回動中心として回動可能に位置している。このレバーには部材を介してワイヤー３５の一端が結びつけられる。以上が駆動側３１の構成である。
【００１０】  ４０は脚体保持板で、側面視逆Ｕ字形の金属板で、柄にビス止めされる。４１は脚体保持筒で、脚体２０が挿入可能な内径を有する筒体で、上記脚体保持板にボルトとナットを介して回動可能に保持される。この脚体保持筒には前記の脚体が挿入され、ビスにて固定される。４２はスプリングステーで、小四角板体であって脚体保持筒の手前側側面にビス止めされる。このスプリングステー前端近傍には下方スプリング軸４３が突設され、また前記の脚体保持板上部には上方スプリング軸４４が突設され、これらの軸間に引張コイルスプリング４５が架け渡される。なお、脚体保持筒下面にはワイヤー保持軸４６が突設され、前記ワイヤーの他端はこのワイヤー保持軸に結びつけられる。
以上が従動側５０の構成である。
【００１１】  以上の構成から、レバー操作にて脚体の回動が可能となる。
すなわち、レバー開放時には図３のように、脚体と柄は平行位置である。
レバーを握って押圧すると、レバー回動にてワイヤーは引張力を受けて正面視にて右方移動する。このとき該スプリングは引張する。
この右方移動にて脚体保持筒は、前記のボルトすなわち脚体保持筒保持用ボルト４７を回動中心として引張コイルスプリングの力に逆らって回動し、図４に示す状態となる。レバーから手を離すと、引張コイルスプリングの力にて脚体は初期状態へと復帰する。
【００１２】  次に本案の使用について説明する。（標準タイプ）
まず、除雪しようとする場所にて、除雪板を雪中に差し込む。次にレバーを握ると脚体は下方に回動するので、この脚体下端を雪路面上に接触させ、柄の後端側を押し下げると除雪板はテコの原理にて上方移動する。そして握持環体を手に持ち、他方の手は柄端近傍を握り、レバーを離すと脚体は柄と平行の初期位置へと復帰するので、そのまま柄を動かして除雪板中の雪をはね飛ばすことができる。以下、上記操作を反復することにて、容易に除雪することができる。
【００１３】  以上、本案について記したが、本案は雪かきにテコの原理を用いたところにその特徴を有するものである。従来の雪かきは柄を持った両手に上向きの力を加えて、除雪するものであり、足腰を踏ん張って腕力にて除雪するものであり、腰への負担が大きいものであった。しかるに本案は既述のごとく、脚体を雪路面に接地させ、柄の後端を押し下げることにて除雪板へ上向きの力を与え、また、握持環体を持って上向きの力を与え、この双方の力にて除雪するために、従来品に比べてより小労力にての除雪を可能としたのである。
また、主要部材に管体を用いたので、より軽量で扱いやすいものとなっている。
なお、既例は実施の一例であって近似の他の構成としてもよい。
以上のごとく、本案によってより容易な除雪を可能とする有用なる雪かきを得ることができる。
【符号の説明】
【００１４】    １  柄
２  キャップ
３  除雪板
４  柄挿入部
５  リブ
６  孔
７  握持環体
８  環体固定具
９  つまみ
１０  つまみ
２０  脚体
２１  伸縮脚体
２２  接地体
２３  脚体伸縮機構
２４  押しボタン
３０  回動装置部
３１  駆動側
３２  レバー保持体
３３  レバー
３４  レバー軸
３５  ワイヤー
４０  脚体保持板
４１  脚体保持筒
４２  スプリングステー
４３  下方スプリング軸
４４  上方スプリング軸
４５  引張コイルスプリング
４６  ワイヤー保持軸
４７  脚体保持筒保持用ボルト
５０  従動側
【図１】
0003223749.tif 000003
【図２】
0003223749.tif 000004
【図３】
0003223749.tif 000005
【図４】
0003223749.tif 000006
【図５】
0003223749.tif 000007
【図６】
0003223749.tif 000008
【図７】
0003223749.tif 000009
【図８】
0003223749.tif 000010